(57)【特許請求の範囲】
【請求項１】
開放された底部を閉塞する閉塞板を備えた電気機器収納用ラックであって、
前記閉塞板は、ラック本体に固定されて前記底部を部分的に閉塞する固定板と、前記固定板が閉塞出来ない前記底部の他のエリアを閉塞した状態から、スライド操作により前記固定板に重なる状態に移動することで、ケーブル挿通のための開口部を底部に形成する可動板とを有し、
前記可動板は、ラック底部に掛け渡されたレール上でスライドすると共に、前記固定板は前記レールに対してスペーサを介して固定され、
前記スペーサの厚みにより前記レールと前記固定板との間に前記可動板の収納空間が形成され、
前記可動板は、スライド操作を受けて前記固定板の下側に入り込むことを特徴とする電気機器収納用ラック。
【請求項２】
前記閉塞板は、１枚の前記固定板と当該固定板の前後或いは左右に配置された２枚の前記可動板とから成ることを特徴とする請求項１記載の電気機器収納用ラック。
【発明の詳細な説明】
【技術分野】
【０００１】
本発明は、通信機器や情報機器等の電気機器を収納する電気機器収納用ラックに関し、詳しくは開放された底部を閉塞する閉塞板を備えた電気機器収納用ラックに関する。
【背景技術】
【０００２】
通信機器や情報機器等の電気機器を収納するラックは、側板や天板を備えて閉塞した収納空間を形成しているが、収納した機器に対して床下に配設された電源ケーブルや通信ケーブルを接続するための開口部が底部に形成可能となっている（例えば、特許文献１参照）。
【先行技術文献】
【特許文献】
【０００３】
【特許文献１】特開２００２−９４２５９号公報
【発明の概要】
【発明が解決しようとする課題】
【０００４】
上記閉塞板に開口部を設けてケーブルを内部に引き込むラックは、閉塞板の一部を構成する板を取り外して開口部を設けるため、取り外した板は別の場所に保管していた。そのため、保管のためのスペースが必要であった。また、引き込み位置の変更やレイアウトの変更等で開口部位置を変更したり閉塞する必要が発生した場合は、取り外した板が必要になるが、紛失して閉塞できない場合があった。
【０００５】
そこで、本発明はこのような問題点に鑑み、底部に配置した閉塞板に開口部を設けても、開口の為に必要なくなった部材を別途保管する必要が無く、開口した部位の閉塞も容易に実施できる電気機器収納用ラックを提供することを目的としている。
【課題を解決するための手段】
【０００６】
上記課題を解決する為に、請求項１の発明は、開放された底部を閉塞する閉塞板を備えた電気機器収納用ラックであって、閉塞板は、ラック本体に固定されて底部を部分的に閉塞する固定板と、固定板が閉塞出来ない底部の他のエリアを閉塞した状態から、スライド操作により固定板に重なる状態に移動することで、ケーブル挿通のための開口部を底部に形成する可動板とを有し、可動板は、ラック底部に掛け渡されたレール上でスライドすると共に、固定板はレールに対してスペーサを介して固定され、スペーサの厚みによりレールと固定板との間に可動板の収納空間が形成され、可動板は、スライド操作を受けて固定板の下側に入り込むことを特徴とする。
この構成によれば、閉塞板にケーブル挿通のための開口部を設ける際には、可動板をスライドさせれば良く、取り外す必要がない。よって、可動板を取り外して保管する必要がなく、開口部を閉塞する場合には、スライドした可動板を戻せば良く容易に閉塞できる。
また、可動板は固定板の下側に入り込むため、ラック内に収納した機器やケーブルが可動板をスライドする際の邪魔になることがないし、固定板の下には可動板が入り込む隙間が形成されており、可動板をスムーズにスライドさせることができる。
【０００７】
請求項２の発明は、請求項１に記載の構成において閉塞板は、１枚の固定板と当該固定板の前後或いは左右に配置された２枚の可動板とから成ることを特徴とする。
この構成によれば、ラックの前後２箇所、或いは左右の２箇所に開口部を設けることが可能であり、開口部の位置をラックの設置環境に応じて選択でき、通線作業がし易い。
【発明の効果】
【００１０】
本発明によれば、閉塞板にケーブル挿通のための開口部を設ける際には、可動板をスライドさせれば良く、取り外す必要がない。よって、可動板を取り外して保管する必要がなく、開口部を閉塞する場合には、容易に閉塞できる。
【図面の簡単な説明】
【００１１】
【図１】本発明に係る電気機器収納用ラックの一例を示し（ａ）は正面図、（ｂ）は右側面図であり、何れも各面を閉塞する部材を外してフレームを露出させた状態を示している。
【図２】電気機器収納用ラックの平面図である。
【図３】電気機器収納用ラックの底面図である。
【図４】電気機器収納用ラックの部分斜視図である。
【図５】ラックの部分斜視図であり、レールの説明図である。
【図６】Ａ−Ａ線断面図図である。
【図７】Ｂ部拡大図である。
【図８】閉塞板を組み付けた状態の底枠の平面図であり、閉塞板をスライドさせて開口部を形成した状態を示している。
【発明を実施するための形態】
【００１２】
以下、本発明を具体化した実施の形態を、図面を参照して詳細に説明する。図１〜３は本発明に係る電気機器収納用ラック（以下、単に「ラック」と称する）一例を示し、図１（ａ）は正面図、図１（ｂ）は右側面、図２は平面図、図３は底面図である。但し、ラック１は前面に扉が設けられ、左右側面及び背面には閉塞板が取り付けられ、さらに天面には天板が取り付けられてラック１は閉塞された収納空間を備えているが、ここではそれらは省略してラック本体を構成するフレーム１０のみ示している。
そして、ラック１の底部には図２、図３に示すように閉塞板２が配置されており、ラック１の開放された底部も閉塞可能となっている。
【００１３】
フレーム１０は、四角形枠状の底枠１０ａが下端に、天枠１０ｂが上端に配置され、両者は４隅に起立配置された柱状のフレーム材１０ｃで連結されている。
【００１４】
図４はラック１の部分斜視図であり、閉塞板２を分解して示している。図４に示すように、閉塞板２は３つの板で構成され、中央に配置された１枚の固定板２１と、固定板２１を挟む様に前後に配置された２枚の可動板（第１可動板２２ａ、第２可動板２２ｂ）２２を有している。第１可動板２２ａが前側に、第２可動板２２ｂが後側に配置され、何れも底枠１０ａの内側開口部の左右に亘る幅を有し、３枚の板で底枠１０ａの開口された内側を閉塞するよう形成されている。
尚、ここでは第１可動板２２ａと第２可動板２２ｂとは対称形状で同一形状となっているが、非対称に形成しても良く、例えば一方を広く形成しても良い。
【００１５】
ラック１の底枠１０ａには前後方向に２本のレール３が掛け渡されており、閉塞板２はこのレール３上に配置されている。以下、具体的に説明する。
図５は閉塞板２を除いたラック１の部分斜視図であり、レール３を分解して示している。レール３は、図５に示すように２本のレール片３１を連結金具３２で連結して形成されている（図３に示す）。レール片３１の端部には底枠１０ａに連結するための連結片３ａが設けられ、底枠１０ａにねじ止め固定されている。
【００１６】
連結金具３２は、レール片３１の上側に配置されて、前後のレール片３１を連結すると共に、固定板２１を支持する支持部材を兼ねており、図４に示すように固定板２１は連結金具３２にねじ止めされる。
そして、固定板２１が連結金具３２を介してレール３に固定されることで、連結板３２の厚みにより固定板２１とレール片３１の間に隙間が形成され、この隙間が可動板２２ａ，２２ｂの挿入空間を形成している。即ち、連結板３２は可動板２２の厚みより僅かに厚く形成されている。
尚、レール３は分割形成せずに底枠１０ａの前後に亘る長さとしても良く、その場合連結金具３２は隙間を形成するスペーサとして取り付けられる。
【００１７】
図６は図１のＡ−Ａ線断面図、図７は図６のＢ部拡大図であり、閉塞板２の断面を示している。可動板２２は、レール３にねじ止めして固定された状態にあるが、ねじ止めを解除することでレール３上をスライド可能であり、図７に示すように、連結金具３２により隙間が形成されている固定板２１の下部へスライドさせ収納することができる。そして、図４に示すように、レール片３１には適宜部位にねじ穴３１ａが設けられており、適宜位置で可動板２２はレール３にねじ止めされ、スライド前と同様にレール３に固定される。
【００１８】
図８はこうして可動板２２をスライドして固定板２１の下部に収納して底枠１０ａに開口部５を形成した状態を示し、第１可動板２２ａ及び第２可動板２２ｂの双方をスライドさせて同一の大きさの開口部（ハッチングを付したエリア）５を形成した状態を示している。
尚、ここでは開口部５を前後に設けた状態を示しているが一方のみでも良いし、開口する幅も任意であり、複数設けられているねじ孔３１ａからスライド位置に合致するねじ孔３１ａを選択して固定することができる。
【００１９】
このように、閉塞板２にケーブル挿通のための開口部５を設ける際には、可動板２２をスライドさせれば良く、取り外す必要がない。よって、可動板２２を取り外して保管する必要がなく、開口部５を閉塞する場合には、スライドした可動板２２を戻せば良く容易に閉塞できる。
また、ラック１の前後２箇所に開口部を設けることができ、開口部５の位置をラック１の設置環境に応じて選択でき、通線作業がし易い。
更に、可動板２２は固定板２１の下側に入り込むため、ラック１内に収納した機器やケーブルが可動板をスライドする際の邪魔になることがない。
また、連結金具３２により固定板２１の下に可動板２２が入り込む隙間を確実に形成でき、可動板２２をスムーズにスライドさせることができる。
【００２０】
尚、上記実施形態では閉塞板２を３部材で構成しているが、可動板２２は１枚でも良い。また、前後方向にスライドさせているが、左右方向にスライド可能としても良い。
【符号の説明】
【００２１】
１・・電気機器収納用ラック、２・・閉塞板、３・・レール、５・・開口部、１０・・フレーム（ラック本体）、１０ａ・・底枠、２１・・固定板、２２・・可動板、３１・・レール片、３２・・連結金具（スペーサ）。
【図１】
0006572000.tif 000002
【図２】
0006572000.tif 000003
【図３】
0006572000.tif 000004
【図４】
0006572000.tif 000005
【図５】
0006572000.tif 000006
【図６】
0006572000.tif 000007
【図７】
0006572000.tif 000008
【図８】
0006572000.tif 000009